(57)【要約】【課題】  花卉と他物との接触による擦れを防止する作業の改善、効率向上、再利用によるコスト低減と擦れ防止材の廃棄物削減を図る花卉の防擦ネットを提供する。【解決手段】  花卉運搬台車２の左右側面における幅寸法Wにほぼ見合う幅と花卉運搬台車２の丈寸法を最大限とする丈を有し、花卉の一部分でも挿通を抑え得るメッシュを持つネットシート３、ネットシート３の四つ角部と左右辺部と上下辺部に基端部がそれぞれ取着される伸縮性の連結部材４、連結部材４の先端部に後部の係着部１１が係着されて先部の鉤部１２が当該台車２の枠部材２１・２２・２３・２４に対し係止可能に形成されるフック５とからネット１が形成される。鉤部１２を当該台車２の少なくとも縦枠に係止させて、各連結部材４の伸張による復元弾力作用で、ネットシート３を当該台車２の右面、左面又は左右両面に対し緊張した直平面状態下で張設する。【選択図】    図１
0003105740.tif 000002
【実用新案登録請求の範囲】
【請求項１】
前後両面側が搬送作業勝手面、左右両面側が搭載物品の出し入れ勝手面となる花卉運搬台車（２）における左右側面の少なくとも一方の面に当て合わせるための防擦ネット（１）であり、当該台車（２）の左右側面における幅寸法（W）にほぼ見合う幅と当該台車（２）の丈寸法（H）を最大限とする丈を有し、かつ、花卉の一部分でも挿通を抑えることができるメッシュを持つネットシート（３）と、このネットシート（３）の少なくとも四隅部に基端部がそれぞれ取着される弾性紐からなる連結部材（４）と、それらの連結部材（４）の先端部に後部の係着部（１１）がそれぞれ係着されて先部の鉤部（１２）が前記台車（２）の枠部材（２１・２２・２３・２４）に対し係止可能に形成されるフック（５）とからなり、それらのフック（５）の鉤部（１２）を前記台車（２）の少なくとも縦枠（２１・２１）に係止することにより、各連結部材（４）の伸張による復元弾力作用に基づいて、前記ネットシート（３）を当該台車（２）における左右側面の少なくとも一方の面に対して緊張した直平面状態下で張設可能に形成されてなることを特徴とする花卉運搬台車の防擦ネット。
【請求項２】
前後両面側が搬送作業勝手面、左右両面側が搭載物品の出し入れ勝手面となる花卉運搬台車（２）における左右側面の少なくとも一方の面に当て合わせるための防擦ネット（１）であり、当該台車（２）の左右側面における幅寸法（W）にほぼ見合う幅と当該台車（２）の丈寸法（H）を最大限とする丈を有し、かつ、花卉の一部分でも挿通を抑えることができるメッシュを持つネットシート（３）と、このネットシート（３）の少なくとも四隅部に基端部がそれぞれ取着される弾性紐からなる連結部材（４）と、それらの連結部材（４）の先端部に後部の係着部（１１）がそれぞれ係着されて先部の鉤部（１２）が前記台車（２）の枠部材（２１・２２・２３・２４）に対し係止可能に形成されるフック（５）とからなり、それらのフック（５）の鉤部（１２）を前記台車（２）の少なくとも縦枠（２１・２１）に係止することにより、各連結部材（４）の伸張による復元弾力作用に基づいて、前記ネットシート（３）を当該台車（２）における左右側面の少なくとも一方の面に対して緊張した直平面状態下で張設可能に形成されてなり、
前記ネットシート（３）は、上下・左右の周縁辺部に補強用の縁当て（６）が施されていて、この縁当て（６）の四つ角部及び左右辺部並びに上下辺部に、前記連結部材（４）の基端部を取着するための鳩目金具（７）がそれぞれ固着されてなり、
前記連結部材（４）は、上記鳩目金具（７）に挿通し取着するための止め輪部（９）が基端部に、フック（５）の後部の係着部（１１）を係着するための止め輪部（１０）が先端部にそれぞれ設けられてなる花卉運搬台車の防擦ネット。
【考案の詳細な説明】
【技術分野】
【０００１】
本考案は、花卉市場で取引される園芸植物等（以下単に「花卉」という）を保護するために、特に摩擦に弱い花卉を搭載して運搬する際に用いられ、花卉運搬台車に直接取付けて好適に使用される防擦ネットに関する。
【背景技術】
【０００２】
花卉市場で取引される花卉は花卉運搬台車に搭載され、この花卉運搬台車を複数台トラックに積み込んで移送し搬出入するのが一般的である。この花卉の移送について説明すると、花卉運搬台車を輸送トラックに積み下ろしするときにこの花卉運搬台車に搭載している花卉がトラック荷台壁に接触して擦れることがあったり、また、市場内において移送の最中に台車相互間で、あるいは他の物品との間で接触して花卉が擦れたりすることが屡々起こる（特許文献１参照）。
【特許文献１】実開平０２−１２１４７９号公報
【０００３】
このように擦れが生じると花卉の葉や花弁が部分的に傷んで商品価値を失することになるので、普通はストレッチフィルムを花卉運搬台車の周りに巻き付けるラッピング方式や予め作成しておいた袋カバーを台車に被せるカバー方式などの防護措置が行われている。
【考案の開示】
【考案が解決しようとする課題】
【０００４】
ラッピング方式では、ラップ作業に手間と時間が掛かるだけでなく再使用ができなくて不経済であるのと、通気性が悪くて花卉の寿命に悪影響を与えるのが問題とされており、他方、カバー方式では、袋カバーが動かないようにバンド締めするなど固定手段が必要で手間が掛かり、また、リフトを使用することを考慮して複雑な構造の袋カバーにしなければならないなどの不便は免れ得ないものである。
【０００５】
このような問題点に対処して本考案は案出されたものであり、従って本考案の目的は、移送時における花卉と他物との接触による擦れの防止を確実に防止すると共に、擦れ防止に係る作業の改善、効率向上を図り、かつ、繰り返し再利用の実現によるコスト低減及び擦れ防止材の廃棄物削減を果たさせることにある。
【課題を解決するための手段】
【０００６】
上記課題の解決を図らせるべく、本考案に係る請求項１に記載の考案は、前後両面側が搬送作業勝手面、左右両面側が搭載物品の出し入れ勝手面となる花卉運搬台車２における左右側面の少なくとも一方の面に当て合わせるための防擦ネット１であり、当該台車２の左右側面における幅寸法Wにほぼ見合う幅と当該台車２の丈寸法Hを最大限とする丈を有し、かつ、花卉の一部分でも挿通を抑えることができるメッシュを持つネットシート３と、このネットシート３の少なくとも四隅部に基端部がそれぞれ取着される弾性紐からなる連結部材４と、それらの連結部材４の先端部に後部の係着部１１がそれぞれ係着されて先部の鉤部１２が前記台車２の枠部材２１・２２・２３・２４に対し係止可能に形成されるフック５とからなり、それらのフック５の鉤部１２を前記台車２の少なくとも縦枠２１・２１に係止することにより、各連結部材４の伸張による復元弾力作用に基づいて、前記ネットシート３を当該台車２における左右側面の少なくとも一方の面に対して緊張した直平面状態下で張設可能に形成されてなる構成としたことを特徴とする。
【０００７】
ここで、「当該台車２の丈寸法Hを最大限とする丈を有し」とは、上記ネットシート３の丈が、当該台車２の丈寸法Hにほぼ見合う寸法である場合以外に、当該台車２の丈寸法Hの１／２，１／３，１／４等の丈を有する場合をも含むことを意味する。また、「枠部材２１・２２・２３・２４」とは、後述する花卉運搬台車２の縦枠２１、台枠２２、上桟枠２３、及び棚板２４を含む概念を意味する。
【０００８】
また、本考案に係る請求項２に記載の考案は、上記防擦ネット１に関して、ネットシート３は上下・左右の周縁辺部に補強用の縁当て６が施されていて、この縁当て６の四つ角部及び左右辺部並びに上下辺部に、前記連結部材４の基端部を取着するための鳩目金具７がそれぞれ固着されてなり、連結部材４は、前記鳩目金具７に挿通し取着するための止め輪部９が基端部に、フック５の後部の係着部１１を係着するための止め輪部１０が先端部にそれぞれ設けられてなる構成としたことを特徴とする。
【考案の効果】
【０００９】
本考案によれば、ネット１を緊張した直平面状態下で当て合わせてなる左右両面の少なくとも一方の面においては、ネットシート３に遮られることによって花卉が一部分たりとも花卉運搬台車２の外面から外方に突出することは防がれ、擦れによる損傷が未然に防止される。また、ネットシート３を用いることで通気性が確保でき、花卉へのストレスが軽減できる。
【００１０】
更にまた、フィルムを巻き付けていくラッピング方式に比較して、本ネット取り付けの作業は、花卉運搬台車２の一側面若しくは左右側面のほぼ全面又は一部分にネットシート３をフック５で固定するだけの単純な手段で済むので作業効率が高く短時間で行えるし、反復繰り返しの再利用が可能でゴミ削減による環境対策の点で優れる。
【考案を実施するための最良の形態】
【００１１】
本考案の好ましい実施の形態に関して添付図面に基づき以下に詳細に説明する。図１は本考案の第1の実施形態に係るネットを装着した状態の花卉運搬台車２の外観斜視図、図２は防擦ネット１の張設に用いられる連結部材４とフック５を示す平面図、図３は図１における丸囲みＡ部の拡大図である。
【００１２】
本考案に係るネット１が装着される花卉運搬台車２の代表例が図１に示されるが、自在車付の方形平面枠になる台枠２２の四角部から角柱を形成する４本の縦枠２１を垂直に立設させ、各縦枠２１の上端部間を４本の上桟枠２３で連結させて、前後・左右に開放する四周面が展開する縦長直立方形の移動台車が形成される。この花卉運搬台車２における各縦枠２１の身部の内側部分には、縦長状の棚板支持孔（図示せず）が適当なピッチで穿設されているとともに、台車２内には数個の棚板２４が多段に配設されて棚板２４の前後に設けた取り付けた掛具（図示せず）により水平に支持されている。
【００１３】
上記花卉運搬台車２は、図１上で左側面及びこれに平行で対向する右側面となる左右両面側が花卉の出し入れ勝手面となり、同じく前面及びこれに平行で対向する奥面となる前後両面側が搬送作業勝手面となって、各棚板２４には小鉢物観賞植物等の花卉が多数搭載された状態で、輸送トラックに積み下ろしさせて移動されるようになっている。この場合、花卉運搬台車２の前後両面の幅は、例えばフラワーコンテナの長辺寸法の整数倍でかつトラック荷台幅の整数分の１の寸法に形成されると共に、左右両面の幅は、例えばフラワーコンテナの短辺寸法の整数倍の寸法に形成されている。
【００１４】
ネット１は、四方形の平面に展開可能に形成されるネットシート３と、短寸のゴム紐など弾性紐からなる複数個の連結部材４と、該連結部材４と同数の複数個で鉤部１２を先部に備えるフック５を構成要素部材として有している。ネットシート３は、適当なメッシュの網目に編成してなる所定の幅及び丈を持つ四方形の例えば合成繊維製のシート材からなっていて、花卉の一部分でも挿通を抑えることができるメッシュ、例えば５mm平方のメッシュの網目シート材であって、当該台車２の左右側面における幅寸法W及び丈寸法Hにほぼ見合う長さの幅及び丈を有し、例えば当該台車２の側面における幅方向及び丈方向の各内のり寸法を有するものが用いられる。
【００１５】
この網目シート材において、上下・左右の周縁辺部には補強用及び形態保持用としての数ｃｍ幅の縁当て６が縫付け加工等により一体に施されているとともに、この縁当て６の部分の四つ角部及び左右辺部並びに上辺部に、各連結部材４の基端部を取着するための鳩目金具７がそれぞれ固着されていて、これにより上記ネットシート３が構成される。
【００１６】
各連結部材４については、ネットシート３の左右辺部の鳩目金具７と上下辺部の鳩目金具７とにそれぞれ対応させるものに関して有効長さが若干異なっている点を除いては基本的に同一構造であり、図２に略示される如く、１本の短寸の太ゴム紐を素材として央部の紐部８の両端部分に止め輪部９、１０を一体に備える弾性伸縮が可能な輪付連結具に形成される。そして、基端部側の大径の止め輪部９が鳩目金具７に挿通し取着するための係合部に用いられ、先端部側の小径の止め輪部１０がフック５の後部の係着部１１を係着するための係合部に用いられるのである。この場合において、止め輪部９を対応する鳩目金具７に取着するには図３に示される如く、止め輪部９を鳩目金具７の丸穴にくぐらせた後に反対側の止め輪部１０から紐部８の順に止め輪部９に通して引き抜かせることによって取着が可能であり、これによって着脱自在な取着が簡単に行える。なお、本考案に関してはこのような取着手段に限るものでなく、太ゴム紐の一端部をネットシート３における四つ角部及び上下辺部・左右辺部の所定個所に縫付け等により直接取着するようにしたものでも良い。
【００１７】
フック５は、細短い金属線を曲げ加工して得られるものであって、丸曲げ加工したリング状の係着部１１とＵ字状に曲げ加工した鉤部１２を連続する一体に有する掛止部材に形成される。このフック５は図２に示される如く、リング状の係着部１１を連結部材４の止め輪部１０に輪結合することによって各連結部材４に一体的に取付けられる。
【００１８】
叙上の構成になるネット１は以下に述べるようにして花卉運搬台車２に取り付けられ、該花卉運搬台車２における右面若しくは左面又は左右両面に対して幅・丈方向に緊張した直平面状態下で当て合わせて張設することが可能である。即ち、ネットシート３の各鳩目金具７に予め連結部材４がそれぞれ取着され、さらに各連結部材４にフック５がそれぞれ係着されてなるネット１を、所定個数の花卉が各棚板２４上に搭載されている花卉運搬台車２における右面若しくは左面又は左右両面に展開状態で添わせた後に、各フック５の鉤部１２を例えば上方側から順に、連結部材４に伸張を加えながら前記花卉運搬台車２の対応位置の枠部材（２１・２２・２３又は２４）に掛止して行く（図３参照）。全てのフック５を掛止することによって取付けが終わった状態のネット１は、各連結部材４の伸張による復元弾力作用に基づいて、ネットシート３を花卉運搬台車２における左右両面の少なくとも一方の面に対して幅・丈方向に弛みがなくて緊張した直平面状態下で張設することができる。
【００１９】
図4は本考案の第２の実施形態に係るネットを装着した状態の花卉運搬台車２の外観斜視図である。この実施形態に係る防擦ネット１は、図４に示すように、当該台車２の左右側面における幅寸法Wにほぼ見合う幅と、当該台車２の丈寸法Hの略１／３の丈ｈを有し、その他の点は第１の実施形態と同様に構成されている。なお、防擦ネット１の丈寸法は、必要に応じて当該台車２の丈寸法Hの１／２，１／４等の丈を有するものを適宜準備しておけば良い。また、このネットシート３を当該台車２における左右側面の少なくとも一方の面に対して緊張した直平面状態下で張設するには、上記ネットシート３の少なくとも四隅部に取着した各連結部材４のフック鉤部１２を前記台車２の枠部材２１・２２・２３・２４のうちの少なくとも縦枠２１・２１に係止するだけでもよい。
【００２０】
このようにしてネット１の取付けが終わった花卉運搬台車２は、搭載物品の出し入れ勝手面となる左右両面側の開口全面がネットシート３により確実に覆われているので、花卉がネットシート３の内面側にあって外方に一切出されていないことから、壁や他物と直接に接触することが全く無くなり、所期の擦れ防止の目的が十分に達成される。
【００２１】
なお、図示する実施の形態に係る花卉防擦ネット１は、ネットシート３が反復使用である本来の利点に加えて、痛んだ連結部材４、フック５を必要に応じて予備新品と簡単に取替え可能であるので、擦れ防止の効果を高性能下で長期にわたり安定して発揮させることが可能である。
【図面の簡単な説明】
【００２２】
【図１】本考案の第１の実施形態に係る花卉防擦ネットを装着した花卉運搬台車の外観斜視図である。
【図２】防擦ネット１の張設に用いられる連結部材４とフック５を示す平面図である。
【図３】図１における丸囲みＡ部の拡大図である。
【図４】本考案の第２の実施形態に係るネットを装着した状態の花卉運搬台車２の外観斜視図である。
【符号の説明】
【００２３】
１…花卉防擦ネット、２…花卉運搬台車、３…ネットシート、４…連結部材、５…フック、６…縁当て、７…鳩目金具、８…紐部、９…止め輪部、１０…止め輪部、１１…係着部、１２…鉤部、２１…縦枠、２２…台枠、２３…上桟枠、２４…棚板、Ｗ…幅寸法、Ｈ…丈寸法。
【図１】
0003105740.tif 000003
【図２】
0003105740.tif 000004
【図３】
0003105740.tif 000005
【図４】
0003105740.tif 000006